(57)【特許請求の範囲】
【請求項１】
駆動手段の駆動に伴い第１位置および第２位置の間を移動可能な演出部材を備えた遊技機であって、
前記演出部材の移動方向に沿って直列に配列され、該移動方向へ弾力的に伸縮変形可能な複数の付勢部材と、
前記演出部材の移動方向で隣接する付勢部材の間に配設され、両付勢部材の端部に連結される中間部材とを備え、
前記配列の一方端に配設された前記付勢部材は、前記中間部材との連結側と反対側の端部が前記遊技機の固定部に固定されると共に、前記配列の他方端に配設された前記付勢部材における前記中間部材との連結側と反対側の端部側に、前記演出部材が配設されて当該演出部材が移動することで付勢部材が伸縮変形可能に構成され、
前記駆動手段の駆動により前記演出部材を前記第１位置側へ移動した際に、前記中間部材の移動を伴って前記各付勢部材が変形することで、演出部材が前記第２位置側へ付勢されるよう構成された
ことを特徴とする遊技機。
【請求項２】
前記配列の他方端に配設された付勢部材における前記中間部材との連結側と反対側の端部に、前記演出部材の移動方向へ移動可能な移動部材が連結され、該移動部材に対して前記演出部材が第２位置側から分離可能に当接するよう構成され、
前記演出部材が前記第１位置にある状態では、該演出部材が前記移動部材に第２位置側から当接して、前記付勢部材により当該演出部材が第２位置側へ付勢されると共に、
前記演出部材が前記第１位置から第２位置に移動する途中で該演出部材が前記移動部材から分離して、前記付勢部材による演出部材の付勢が解除されるよう構成された請求項１記載の遊技機。
【請求項３】
前記移動部材は、前記付勢部材が連結される連結部と、前記連結部に連設されて前記演出部材が第２位置側から当接可能な当接部とを備え、
前記移動部材の当接部は、前記連結部との連設位置から前記演出部材の移動方向に沿って第２位置側へ突出するよう形成されて、該当接部の突出端部に前記演出部材が分離可能に当接するよう構成された請求項２記載の遊技機。
【請求項４】
前記駆動手段は、前記付勢部材および前記中間部材の移動領域を挟んで前記演出部材の移動領域とは反対側に配設され、
前記駆動手段と演出部材とは、前記第１位置と第２位置との間を移動する前記演出部材に連動して移動する前記中間部材と常に重なる位置に配設された連係手段を介して連係された請求項１〜３の何れか一項に記載の遊技機。
【請求項５】
前記演出部材は、前記第１位置から第２位置に亘って円弧状に延設された第１ガイド部に沿って円弧状に往復移動し、
前記各付勢部材は、前記第１ガイド部に沿って円弧状に延設された第２ガイド部に沿って円弧状に伸縮変形すると共に、
前記中間部材は、前記第２ガイド部に沿って円弧状に往復移動するよう構成された請求項１〜４の何れか一項に記載の遊技機。
【発明の詳細な説明】
【技術分野】
【０００１】
この発明は、駆動手段の駆動に伴い第１位置および第２位置の間を移動可能な演出部材を備えた遊技機に関するものである。
【背景技術】
【０００２】
パチンコ機等に代表される遊技機は、外枠に取り付けられる中枠と、裏側に設置部材が配設されて前記中枠に取り付けられる遊技盤と、前記中枠の前側に取り付けられる前枠等を備えている。前記遊技盤は、その前側に、案内釘、各種入賞装置および演出装置等が配設された遊技領域が画成され、盤面を前後に貫通する開口が前記遊技領域内に形成されている。前記開口の開口縁には、該開口縁に沿う形状に形成された環状の装飾部材(センター役物とも称される)が配設され、この装飾部材の内側開口が演出領域とされている。前記設置部材は、遊技盤の後面から後方へ離間して該後面と平行となる設置壁部を備えると共に、この設置壁部の中央には前記演出領域と前後に対向する表示開口が形成されている。前記設置壁部の後側には、表示部を前記表示開口に臨ませた状態で表示装置が取付けられると共に、該設置壁部の前側には、各種の演出装置が取付けられる。そして、前記表示装置の表示部および演出装置は、前記装飾部材の演出領域に臨んで遊技盤の前側から視認されるよう構成されている。このような遊技機は、パチンコ遊技に際して、前記遊技領域内へ打ち出した遊技球が該遊技領域における前記装飾部材の下方に配設した始動入賞装置に入賞すると、前記表示装置の表示部において図柄変動演出が行なわれると共に、この図柄変動演出に合わせて前記演出装置が所定の演出動作を行なうよう構成されている。
【０００３】
前記演出装置は、前記設置壁部における前記図柄表示装置の表示部を囲む上下や左右等に配設され、該表示部での図柄変動演出に合わせて姿勢変位したり移動する演出部材を備えている。すなわち前記演出装置は、遊技機に搭載された制御手段により制御される駆動手段(例えば電気モータ、ロータリーソレノイド、リニアソレノイド、エアシリンダ等)を備えると共に、この駆動手段に前記演出部材が連係されており、駆動手段の駆動により演出部材が姿勢変位したり移動することで演出効果を高めるよう構成されている。このような演出装置は、特許文献１に開示されている。
【先行技術文献】
【特許文献】
【０００４】
【特許文献１】特開２００９−２４０３８６号公報
【発明の概要】
【発明が解決しようとする課題】
【０００５】
ところで、遊技機に配設される演出装置は、演出効果を高めるため、演出部材を大型にしたり、演出部材の姿勢変位量や移動距離を大きく設定することがなされる。しかしながら、演出部材を大型にしたり、該演出部材の姿勢変位量や移動距離を大きくすると、前記駆動手段に加わる負荷が大きくなるから、該駆動手段の故障が発生し易くなると共に、駆動手段と演出部材との連係部の作動不良等も発生し易くなる。このため、特許文献１に示す演出装置のように、作動補助部材としてのスプリング等を装着して該スプリングの付勢力が演出部材に加わるよう構成することで、駆動手段の負荷を軽減することが行なわれている。しかしながら、前記演出部材の移動量が大きくなると前記スプリングの変形量(伸縮量)も大きくなり、スプリングの変形量が大きくなるに従って発生する付勢力が増大するから、却って駆動手段に加わる負荷が大きくなって演出部材をスムーズに移動させることができなくなる問題がある。またスプリングは、変形量が大きいとへたりが早期に発生し、また弾性限界点(降伏点)を越えて変形すると塑性変形が発生してしまうから、適切な付勢力が長期間に亘って発揮されなくなる不都合もある。なお、作動補助部材として定荷重バネを使用すれば、演出部材の移動量が変化しても駆動手段に加わる負荷を一定にすることは可能であるが、このような定荷重バネは、高価であるから製造コストが嵩む要因となると共に、外形サイズが大きいので設置場所の設定が制限されて採用し得ないこともある。
【０００６】
そこで本発明は、前述した課題を解決するために案出されたものであって、駆動手段に加わる負荷を軽減しながら演出部材をスムーズに移動させるようにした遊技機を提供することを目的とする。
【課題を解決するための手段】
【０００７】
前記課題を克服し、所期の目的を達成するため、本願の請求項１に係る発明は、
駆動手段(53)の駆動に伴い第１位置および第２位置の間を移動可能な演出部材(52)を備えた遊技機であって、
前記演出部材(52)の移動方向に沿って直列に配列され、該移動方向へ弾力的に伸縮変形可能な複数の付勢部材(100,101)と、
前記演出部材(52)の移動方向で隣接する付勢部材(100,101)の間に配設され、両付勢部材(100,101)の端部に連結される中間部材(102)とを備え、
前記配列の一方端に配設された前記付勢部材(100,101)は、前記中間部材(102)との連結側と反対側の端部が前記遊技機の固定部(103)に固定されると共に、前記配列の他方端に配設された前記付勢部材(100,101)における前記中間部材(102)との連結側と反対側の端部側に、前記演出部材(52)が配設されて当該演出部材(52)が移動することで付勢部材(100,101)が伸縮変形可能に構成され、
前記駆動手段(53)の駆動により前記演出部材(52)を前記第１位置側へ移動した際に、前記中間部材(102)の移動を伴って前記各付勢部材(100,101)が変形することで、演出部材(52)が前記第２位置側へ付勢されるよう構成されたことを要旨とする。
【０００８】
従って、請求項１に係る発明によれば、直列に配列した各付勢部材が、該付勢部材の端部と連結された中間部材の移動を伴って変形することで、演出部材が第１位置側に移動するにつれて第２位置側へ付勢されるので、駆動手段により演出部材を第１位置から第２位置へ移動させる際には、該駆動手段に加わる負荷を軽減して演出部材をスムーズに移動させることができる。また、演出部材の移動方向に沿って複数の付勢部材が直列に配列されているので、演出部材の移動量に対して各付勢部材が各々変形するから個々の付勢部材の変形量を小さく抑えることができ、付勢部材のへたりや塑性変形の発生を防止し得る。また、各付勢部材の変形量に対して、演出部材の移動距離を大きく設定することが可能である。
【０００９】
請求項２に記載の発明では、
前記配列の他方端に配設された付勢部材(100,101)における前記中間部材(102)との連結側と反対側の端部に、前記演出部材(52)の移動方向へ移動可能な移動部材(105)が連結され、該移動部材(105)に対して前記演出部材(52)が第２位置側から分離可能に当接するよう構成され、
前記演出部材(52)が前記第１位置にある状態では、該演出部材(52)が前記移動部材(105)に第２位置側から当接して、前記付勢部材(100,101)により当該演出部材(52)が第２位置側へ付勢されると共に、
前記演出部材(52)が前記第１位置から第２位置に移動する途中で該演出部材(52)が前記移動部材(105)から分離して、前記付勢部材(100,101)による演出部材(52)の付勢が解除されるよう構成されたことを要旨とする。
従って、請求項２に係る発明によれば、駆動手段の駆動により演出部材が第１位置から第２位置に移動する際に、該演出部材が移動部材に当接している際には付勢部材により該演出部材が第２位置側へ付勢されるので、該駆動手段に加わる負荷を軽減できる。また、演出部材が第１位置から第２位置へ移動する途中で移動部材から分離した後には、付勢部材による演出部材の付勢が解除されるから、演出部材が不必要に付勢されることを回避することができる。
【００１０】
請求項３に記載の発明では、
前記移動部材(105)は、前記付勢部材(100,101)が連結される連結部(106)と、前記連結部(106)に連設されて前記演出部材(52)が第２位置側から当接可能な当接部(107)とを備え、
前記移動部材(105)の当接部(107)は、前記連結部(106)との連設位置から前記演出部材(52)の移動方向に沿って第２位置側へ突出するよう形成されて、該当接部(107)の突出端部(107A)に前記演出部材(52)が分離可能に当接するよう構成されたことを要旨とする。
従って、請求項３に係る発明によれば、移動部材を介して各付勢部材の付勢力を演出部材へ適切に加わるようにすることができる。そして、当接部の第２位置側への突出長さを変更することで、演出部材が第１位置と第２位置との間を移動する際に、演出部材と移動部材とが当接するタイミングおよび分離するタイミングを調整することができる。
【００１１】
請求項４に記載の発明では、
前記駆動手段(53)は、前記付勢部材(100,101)および前記中間部材(102)の移動領域を挟んで前記演出部材(52)の移動領域とは反対側に配設され、
前記駆動手段(53)と演出部材(52)とは、前記第１位置と第２位置との間を移動する前記演出部材(52)に連動して移動する前記中間部材(102)と常に重なる位置に配設された連係手段(54)を介して連係されたことを要旨とする。
従って、請求項４に係る発明によれば、付勢部材および中間部材の移動領域を挟んで演出部材の移動領域とは反対側に駆動手段を配設するので、演出部材と駆動手段との干渉を回避して該演出部材の移動量を適切に確保することができると共に、駆動手段の配設位置の自由度が高められる。また、演出部材と駆動手段とを連係する連係手段が中間部材と常に重なる位置に配設されるので、該連係手段と付勢部材とが干渉することを防止し得る。
【００１２】
請求項５に記載の発明では、
前記演出部材(52)は、前記第１位置から第２位置に亘って円弧状に延設された第１ガイド部(59)に沿って円弧状に往復移動し、
前記各付勢部材(100,101)は、前記第１ガイド部(59)に沿って円弧状に延設された第２ガイド部(60)に沿って円弧状に伸縮変形すると共に、
前記中間部材(102)は、前記第２ガイド部(60)に沿って円弧状に往復移動するよう構成されたことを要旨とする。
従って、請求項５に係る発明によれば、演出部材が第１ガイド部に沿って第１位置と第２位置との間を円弧状に移動する際に、各付勢部材を第２ガイド部に沿って円弧状に伸縮変形させ得ると共に、中間部材を該第２ガイド部に沿って円弧状に往復移動させることができる。
【発明の効果】
【００１３】
本願発明に係る遊技機によれば、付勢部材による演出部材の付勢により、駆動手段に加わる負荷を軽減しながら演出部材をスムーズに移動させることができる。
【図面の簡単な説明】
【００１４】
【図１】実施例のパチンコ機の正面図である。
【図２】第１可動演出装置における演出部材が第１位置での遊技盤の正面図である。
【図３】図２のIII−III線断面図である。
【図４】第１可動演出装置における演出部材が第２位置での遊技盤の正面図である。
【図５】第１可動演出装置および設置部材の斜視図である。
【図６】第１〜第３の各可動演出装置等を装着した設置部材の正面図である。
【図７】図１４のVII−VII線位置で破断した第１可動演出装置の断面図である。
【図８】第１可動演出装置の分解斜視図である。
【図９】第１可動演出装置を構成する装置本体、演出部材および移動補助機構とを示す斜視図である。
【図１０】装置本体を構成する後本体部材を前側から見た斜視図である。
【図１１】装置本体を構成する前本体部材を後側から見た斜視図である。
【図１２】移動補助機構を構成する第１コイルバネ、第２コイルバネ、中間部材および移動部材を示す斜視図である。
【図１３】(ａ)は、演出部材が第１位置での第１可動演出装置を、前本体部材を外した状態で示す正面図であり、(ｂ)は、演出部材が第１位置での第１可動演出装置を、後本体部材を外した状態で示す背面図である。
【図１４】(ａ)は、演出部材が第２位置での第１可動演出装置を、前本体部材を外した状態で示す正面図であり、(ｂ)は、演出部材が第２位置での第１可動演出装置を、後本体部材を外した状態で示す背面図である。
【図１５】(ａ)は、演出部材が第１位置での中間部材と連係機構との位置関係を示す説明図であり、(ｂ)は、演出部材が第２位置での中間部材と連係機構との位置関係を示す説明図である。
【図１６】図１１のＹ−Ｙ線位置において破断した装置本体の概略断面図である。
【図１７】演出装置と移動部材とが当接または分離する位置を示す説明図である。
【発明を実施するための形態】
【００１５】
次に、本発明に係る遊技機につき、好適な実施例を挙げて、添付図面を参照しながら以下詳細に説明する。なお、遊技機としては、一般的なパチンコ機Ｐを例にして説明する。また、以下の説明において、「前」、「後」、「左」、「右」とは、特に断りのない限り、図１に示すようにパチンコ機Ｐを前側(遊技者側)から見た状態で指称する。
【実施例】
【００１６】
(パチンコ機)
実施例に係るパチンコ機Ｐは、図１に示すように、前後に開口する矩形枠状に形成されて遊技店の図示しない設置枠台に縦置き姿勢で設置される固定枠としての外枠Ａの開口前面側に、遊技盤Ｄを着脱可能に保持する本体枠としての中枠Ｂが、開閉および着脱可能に組み付けられている。そして、前記遊技盤Ｄの裏側に、所定条件の成立(後述する始動入賞装置２０への遊技球(パチンコ球)の入賞)を契機として演出用の図柄を変動表示させて図柄変動演出を行なう図柄表示装置(表示装置)Ｈが着脱可能に配設されている。また、前記中枠Ｂの前面側には、前記遊技盤Ｄを透視保護するガラス板や透明な合成樹脂材により形成された透視保護板２６で前後に開口する窓部を覆うよう構成された装飾枠としての前枠Ｃが開閉可能に組み付けられると共に、該前枠Ｃの下方に遊技球を貯留する下球皿Ｆが前記中枠Ｂに組み付けられる。更に、前記前枠Ｃの下部位置に、遊技球を貯留する上球皿Ｅが一体的に組み付けられており、前枠Ｃの開閉に合わせて上球皿Ｅも一体的に開閉するよう構成される。
【００１７】
前記中枠Ｂの右下方位置には、該中枠Ｂに配設された打球発射装置(図示せず)を作動する操作ハンドルＧが設けられており、該操作ハンドルＧの操作により打球発射装置が作動することで、前記上球皿Ｅに貯留された遊技球が所定間隔で１球ずつ前記遊技盤Ｄに向けて連続的に発射されるようになっている。なお実施例では、前記図柄表示装置Ｈとして、各種図柄を表示可能な液晶パネルからなる表示演出部Ｈ１を備えて該表示演出部Ｈ１を収容ケースに収容した液晶表示装置が採用されるが、これに限られるものではなく、ドラム式の図柄表示装置やドットマトリックス式の図柄表示装置等の各種図柄を停止および変動表示可能な従来公知の各種の表示装置を採用し得る。また、前記上球皿Ｅは、前記前枠Ｃと別体に形成して中枠Ｂに対して開閉可能に組み付けるようにしてもよい。
【００１８】
(遊技盤)
前記遊技盤Ｄは、図２に示すように、アクリルやポリカーボネート等の光透過性の合成樹脂製板やベニア等の木製合板を材質とし、前記中枠Ｂに設けた遊技盤保持部(図示せず)の内縁形状に整合する外縁形成された略矩形の平板状に形成され、その前側には遊技領域１０が設けられると共に、その後側には図３および図５に示す設置部材３０が配設されている。また、前記遊技盤Ｄの前側には、左下部から右上部にかけて円弧状に延在する外レール１１と、この外レール１１の内側に中央下部から左上部にかけて並べて配置された内レール１２と、外レール１１の右上部から内レール１２の下部までの間に右方へ凹む湾曲形状に構成された盤面飾り部材１３等が配設されており、両レール１１,１２および盤面飾り部材１３で囲まれた内側が前記遊技領域１０として構成されている。これにより、前記打球発射装置から発射された遊技球は、外レール１１と内レール１２との間を通って遊技領域１０の左上部に打ち出された後、該遊技領域１０内を流下する。但し、前記内レール１２の延在長を大きく設定して、前記外レール１１および該内レール１２で遊技領域１０を形成するように構成してもよい。
【００１９】
前記遊技盤Ｄには、図３に示すように、中央に大きな貫通口１４が形成され、演出領域として前後に開口した表示窓口２８Ａが形成された枠状装飾部材(装飾部材)２８が、該貫通口１４の開口縁を覆うように配設されている。この枠状装飾部材２８には、遊技盤Ｄの前側に露出する部分に、前記設置部材３０の後側に着脱可能に配設された前記図柄表示装置Ｈ(図３参照)の表示演出部Ｈ１で表示される図柄変動演出の内容に合わせた装飾が施されている。そして、前記枠状装飾部材２８の表示窓口２８Ａには、前記設置部材３０の後側に配設された図柄表示装置Ｈの表示演出部Ｈ１や、該設置部材３０の前側に配設される後述する第１および第２の各可動演出装置５０,１２０や、照明装置を備えた第１、第２、第３の装飾部材４０,４１,４２等が臨むように構成されている。
【００２０】
また前記遊技盤Ｄには、前記貫通口の真下における左右中央に第１装着口１５(図３参照)が開設され、該貫通口の左下方(第１装着口１５の左側)に第２装着口(図示せず)が開設されている。前記第１装着口１５内の上方には始動入賞装置２０が前側から配設されると共に、該第１装着口１５内の下方には特別入賞装置２１が前側から配設され、特別入賞装置２１が始動入賞装置２０の真下に位置している。実施例における前記始動入賞装置２０は、第１始動入賞口２０Ａと、該第１始動入賞口２０Ａの真下に設けた第２始動入賞口２０Ｂとを備えており、両始動入賞口２０Ａ,２０Ｂの何れかに遊技球が入賞すると、これを契機として前記図柄表示装置Ｈが図柄変動演出を行なうようになっている。また前記第２装着口には、図２に示すように、複数(実施例では３つ)の入賞口２２Ａが配列された普通入賞具２２が配設されている。なお、遊技盤Ｄの前面における前記遊技領域１０内には、多数の球案内釘２３や回転球案内具２４等が配設されている。
【００２１】
前記始動入賞装置２０、特別入賞装置２１および普通入賞具２２には、各々に入賞した遊技球を検知する球検知スイッチが個別に配設され、各球検知スイッチからの球検知信号は、前記設置部材３０の後側に取り付けられて当該パチンコ機Ｐを総合的に制御する主制御装置(図示せず)に送出される。前記主制御装置は、前記始動入賞装置２０の球検知スイッチからの検出信号を受けると、大当たり抽選を行なうと共に、前記設置部材３０の後側に取り付けられた統括制御装置(図示せず)に制御信号を出力して前記図柄表示装置Ｈに図柄変動演出を行なわせると共に、前記中枠Ｂの後側に配設された払出制御装置(図示せず)に制御信号を出力して、球払出装置(図示せず)に所定数の賞球を払い出させる。そして、前記主制御装置における前記大当たり抽選の結果として大当たりが発生する場合には、図柄表示装置Ｈの表示演出部Ｈ１での図柄変動演出の後に、該表示演出部Ｈ１に所定の図柄組合わせで図柄が停止表示され、前記特別入賞装置２１の開閉扉２１Ａが開放位置に姿勢変位して多数の遊技球の入賞が可能となる。また主制御装置は、前記特別入賞装置２１の球検知スイッチからの検出信号を受けると、前記払出制御装置に制御信号を出力して前記球払出装置に所定数の賞球を払い出させる。更に主制御装置は、前記普通入賞具２２の球検知スイッチからの検出信号を受けると、前記払出制御装置に制御信号を出力して前記球払出装置に所定数の賞球を払い出させる。
【００２２】
(設置部材)
前記設置部材３０は、図３、図５および図６に示すように、前方に開放する略矩形のバケット状に一体成形された合成樹脂製の部材であって、前側の開放端を遊技盤Ｄの後面に突き合わせて該遊技盤Ｄに取り付けられる。この設置部材３０は、遊技盤Ｄの後面に対して後方から所要の間隔で平行に対向して該遊技盤Ｄの後面を構成する設置壁部３１と、この設置壁部３１の周縁から前方へ延出形成された外周壁部３２と、この外周壁部３２の前端から外方に向けて屈曲した形状に形成された取付板部３３等を備えている。すなわち設置部材３０は、外周壁部３２で囲われて遊技盤Ｄ側に開放する前部開口が矩形状に形成されると共に、取付板部３３の外周縁が、遊技盤Ｄの外周縁より一回り小さい形状および大きさで形成されている。このような設置部材３０は、取付板部３３を遊技盤Ｄの後面にネジ止めすることで該遊技盤Ｄに固定され、遊技盤Ｄの後面から離間した設置壁部３１の前側に、前記第１および第２の各可動演出装置５０,１２０や、第１〜第３の装飾部材４０,４１,４２や、各種付属部品の設置を可能とする空間ＳＰを画成する。
【００２３】
前記設置部材３０の設置壁部３１には、図３、図５および図６に示すように、前後に貫通する表示開口３４が形成されており、該設置壁部３１の後側には、該表示開口３４に前記表示演出部Ｈ１を臨ませた状態で前記図柄表示装置Ｈが着脱可能に取り付けられる。この図柄表示装置Ｈは、前記表示演出部Ｈ１を構成する液晶パネルが収容ケースに収容されたユニット部材であって、該収容ケースの後面には、該図柄表示装置Ｈの表示演出部Ｈ１の表示制御を行なう表示制御装置と、当該パチンコ機Ｐの遊技演出を統括的に制御する前記統括制御装置が配設される。統括制御装置には、設置壁部３１の後側に配設した中継基板(図示せず)を介して前記図柄表示装置Ｈ、前記前枠Ｃに配設された照明装置や前記中枠Ｂに配設されたスピーカ等が電気的に接続されており、該統括制御装置から出力される制御信号に基づいて各装置が作動制御される。また統括制御装置には、中継基板を介して、設置壁部３１の前側に配設された前記各装飾部材４０,４１,４２に配設された照明装置や、前記第１および第２の各可動演出装置５０,１２０等が電気的に接続されており、該統括制御装置から出力される制御信号に基づいて各照明装置の点灯制御や各可動演出装置５０,１２０の作動が制御される。なお実施例では、前記設置壁部３１について、表示開口３４の上側部分を上板部３１Ａ、表示開口３４の下側部分を下板部３１Ｂ、表示開口３４の右側部分を右板部３１Ｃ、表示開口３４の左側部分を左板部３１Ｄと各々指称する。前記設置壁部３１の上板部３１Ａ、下板部３１Ｂ、右板部３１Ｃおよび左板部３１Ｄは、前後方向への部分的な凹凸や段差があるものの、基本的には垂直に形成されて前記遊技盤Ｄの後面と平行になっている。
【００２４】
実施例のパチンコ機Ｐでは、図３および図５に示すように、前記設置壁部３１の上板部３１Ａの前面には、後述する第２可動演出装置１２０が配設されている。また、右板部３１Ｃの前面には、第１装飾部材４０が右板部３１Ｃに近接するように配設され、左板部３１Ｄの前面上部には、第２装飾部材４１が該左板部３１Ｄに近接するように配設されると共に、下板部３１Ｂの前面には、第３装飾部材４２が該下板部３１Ｂに近接するように配設されている。そして、右板部３１Ｃの前方および上板部３１Ａの前方には、第１装飾部材４０の前側から第２可動演出装置１２０の前側に亘って略湾曲形状に形成された第１可動演出装置５０が配設されている。なお、前記第１〜第３の各装飾部材４０,４１,４２には、前記統括制御装置により点灯制御される照明装置が内部に配設されていると共に、第１装飾部材４０および第２装飾部材４１の前面には、前記第１可動演出装置５０の演出部材５２と関連した形状、デザインに形成されている。
【００２５】
(第１可動演出装置)
第１可動演出装置５０は、図５〜図８、図１３および図１４に示すように、設置壁部３１の右板部３１Ｃの前側から上板部３１Ａの前側に亘り延在し、前記表示開口３４を略１／２周に亘って囲む形状、サイズの装置である。すなわち第１可動演出装置５０は、設置壁部３１の右板部３１Ｃの前面に配設した前記第１装飾部材４０や、該設置壁部３１の上板部３１Ａの前面に配設した第２可動演出装置１２０の前方に重なる状態で、該右板部３１Ｃおよび上板部３１Ａに設けた複数の取付ボス３５に対してネジにより取付けられるよう構成されている。従って、前記第１装飾部材４０および第２可動演出装置１２０が表示窓口２８Ａの奥まった位置に配設されるのに対し、該第１可動演出装置５０は枠状装飾部材２８の直後に位置している。
【００２６】
前記第１可動演出装置５０は、図５、図７、図１３および図１４に示すように、前記表示開口３４の外周部において、設置壁部３１に平行に延在すると共に該表示開口３４の略１／２周を囲む半円の円弧状に形成された装置本体５１と、この装置本体５１における前記表示開口３４側(湾曲内側)に円弧状に設けた第１ガイド部５９に配設されて、該第１ガイド部５９に沿って後述する第１位置および第２位置の間を往復移動が可能な演出部材５２とを備えている。前記装置本体５１には、前記演出部材５２を前記第１ガイド部５９に沿って往復移動させる駆動手段としての電動モータ５３と、この電動モータ５３と前記演出部材５２とを連係する連係機構(連係手段)５４と、前記演出部材５２を第２位置側へ付勢する移動補助機構５５とが配設されている。なお、図２および図４に示すように、前記装置本体５１は、前記枠状装飾部材２８の後側に配設されて前記表示窓口２８Ａから外側へ外れて位置し、前記演出部材５２は、該表示窓口２８Ａ内に位置するように配設される。なお、第１可動演出装置５０の説明において、第１ガイド部５９および第２ガイド部６０が円弧状に延在する方向を長手方向、円弧における内周側を湾曲内側、円弧における外周側を湾曲外側と指称する。
【００２７】
(装置本体)
前記装置本体５１は、図５、図７〜図１１、図１３および図１４に示すように、設置壁部３１における上板部３１Ａと左板部３１Ｄとの境界部分から下板部３１Ｂと右板部３１Ｃとの境界部分まで延在するよう円弧状に形成された後本体部材５７と、前記後本体部材５７と同じ曲率の円弧状に形成されて該後本体部材５７に前側から整合する前本体部材５８とを備えており、該前本体部材５８と該後本体部材５７とを前後から組付けて構成される。そして、装置本体５１内には、該装置本体５１の上部左端側から下部右端側まで湾曲内側に沿って円弧状に延在する第１ガイド部５９と、この第１ガイド部５９の湾曲外側において該第１ガイド部５９に沿って円弧状に延在する第２ガイド部６０とが設けられている(図７、図１３および図１４参照)。前記第１ガイド部５９には、図７、図１４および図１５に示すように、前記演出部材５２に取付けられたスライド部材９１の本体部９５が、該第１ガイド部５９の長手方向へ往復移動可能に収容されるようになっている。また、前記第２ガイド部６０には、前記移動補助機構５５における第１コイルバネ(付勢部材)１００および第２コイルバネ(付勢部材)１０１が変形可能に収容されると共に、該移動補助機構５５における中間部材１０２が移動可能に収容されるようになっている。
【００２８】
前記後本体部材５７は、図７、図９、図１０、図１３(ａ)および図１４(ａ)に示すように、装置本体５１を設置壁部３１に取付けた際に該設置壁部３１側(後側)に位置する後壁６１と、この後壁６１の前側に前方へ開口すると共に円弧状に延在する２本の凹部(内側から第１後側凹部６２、第２後側凹部６３)とが設けられている。前記第１後側凹部６２および第２後側凹部６３は、同心の円弧で平行に形成されていると共に、第１後側凹部６２が、長手方向において第２後側凹部６３より後本体部材５７の上部左端側へずれた状態に形成されている(図１０参照)。また、第１後側凹部６２より第２後側凹部６３の方が、長手方向における長さが長く形成されている。前記第１後側凹部６２は、前記第１ガイド部５９の後側部分を画成し、前記第２後側凹部６３は、第２ガイド部６０の後側部分を画成する(図７参照)。また、前記後壁６１における前記第２後側凹部６３の湾曲外側には、装置本体５１を設置部材３０に取付けるための取付板部６４や、前記連係機構５４を配設する支持板部６５等が形成されている。
【００２９】
そして、前記後本体部材５７の後側には、図８に示すように、前記電動モータ５３を取付けたモーターベース部材６６が、前記支持板部６５に対向して取付けられる。また、前記後本体部材５７の後壁６１には、図８に示すように、該後壁６１における前記設置壁部３１の右板部３１Ｃに対向する部位にケーブル保持部材６７が配設されると共に、該後壁６１における該設置壁部３１の上板部３１Ａに対向する部位に上ベース部材７０が配設されている。前記ケーブル保持部材６７の下部には、図８に示すように、前記統括制御装置に接続される中継基板６８が配設されると共に、該ケーブル保持部材６７の前記第１ガイド部５９に隣接する側には、該中継基板６８と演出部材５２とを電気的に接続するフラットケーブル(図示せず)を保持する保持面６７Ａが形成されており、第１位置と第２位置とを演出部材５２が移動する際にフラットケーブルが該保持面６７Ａに押付けられるようになっている。なお、前記ケーブル保持部材６７の後側には、後部パネル７１が取付けられている。また、前記上ベース部材７０には、図８に示すように、後述する第２可動演出装置１２０の前側に位置する装飾板７７,７７が配設されている。
【００３０】
前記前本体部材５８は、図７、図９、図１１、図１３(ｂ)および図１４(ｂ)に示すように、装置本体５１を設置壁部３１に取付けた際に該設置壁部３１側と反対側(前側)に位置する前壁８１と、この前壁８１の後側に後方へ開口すると共に円弧状に延在する２本の凹部(内側から第１前側凹部８２、第２前側凹部８３)とが設けられている。前記第１前側凹部８２および第２前側凹部８３は、同心の円弧で平行に形成されていると共に、第１前側凹部８２が、長手方向において第２前側凹部８３より前本体部材５８の上部左端側へずれた状態に形成されている(図１１参照)。また、第１前側凹部８２より第２前側凹部８３の方が、長手方向における長さが長く形成されている。前記第１前側凹部８２は、前記第１後側凹部６２に前側から対向して前記第１ガイド部５９の前側部分を画成し、前記第２前側凹部８３は、前記第２後側凹部６３に前側から対向して前記第２ガイド部６０の前側部分を画成する(図７参照)。そして、前記前壁８１における前記第２前側凹部８３の湾曲外側には、前記連係機構５４を配設する取付板部８９が設けられると共に、該前壁８１の前側には、発光体としてのＬＥＤを備えた照明基板８４を取付けられるようになっている。
【００３１】
(第１ガイド部)
前記第１ガイド部５９は、図３、図７、図１３および図１４に示すように、前記前本体部材５８と後本体部材５７とを前後から組付けることで、前記第１後側凹部６２と第１前側凹部８２とが前後に対向して形成される。前記第１後側凹部６２および第１前側凹部８２は、図７および図１６に示すように、湾曲内側が所要の隙間をもって前後に離間しており、装置本体５１における湾曲内側には、第１ガイド部５９に開口して該第１ガイド部５９に沿って長手方向へ延在する第１スリット７２が設けられている。前記第１スリット７２には、演出部材５２に取付けたスライド部材９１が移動可能に挿通される。前記第１ガイド部５９は、図７、図１０、図１３および図１４に示すように、前記第１後側凹部６２において周方向へ平行に延在する各内周面６２Ａ,６２Ａおよび前記第１前側凹部８２において周方向へ平行に延在する各内周面８２Ａ,８２Ａがレールとして機能し、演出部材５２に設けられた前記スライド部材９１に回転自在に配設したガイドローラ９７が、各内周面６２Ａ,６２Ａ,８２Ａ,８２Ａを転動するようになっている。
【００３２】
(第２ガイド部)
前記第２ガイド部６０は、図７〜図１１、図１３および図１４に示すように、前記前本体部材５８と後本体部材５７とを前後から組付けることで、前記第２後側凹部６３と第２前側凹部８３とが前後に対向して形成される。そして、図１０、図１１、図１３〜図１５に示すように、第２ガイド部６０における湾曲外側の壁部における前記支持板部６５に対応する部位に、前記連係機構５４の配設部位と第２ガイド部６０とを連通する第１開口部７３が形成されている。また、図１０、図１１、図１３〜図１６に示すように、第２ガイド部６０における前記第１ガイド部５９に隣接する湾曲内側の壁部において前記第１開口部７３と対向する部位に、第２ガイド部６０と第１ガイド部５９とを連通する第２開口部７４が形成されている。更に、図１０、図１１、図１３〜図１６に示すように、第２ガイド部６０における前記第１ガイド部５９に隣接する湾曲内側の壁部において、該第２ガイド部６０の長手方向の略中間部分から下部右端に亘り、第２ガイド部６０と第１ガイド部５９とを連通する第２スリット７５が形成されている。前記第１開口部７３および第２開口部７４には、図１３〜図１６に示すように、前記支持板部６５に配設した連係機構５４の従動ギア８８が挿通されるようになっており、該従動ギア８８のギア部が、これら第１開口部７３および第２開口部７４を介して第１ガイド部５９内へ臨むよう構成されている。そして前記従動ギア８８は、前記スライド部材９１の湾曲外側縁に設けたラックギア９８と噛合するようになっている。また、前記第２スリット７５は、移動補助機構５５における移動部材１０５が移動可能に挿通されるようになっている。更に、図１０、図１１、図１４(ａ)、図１５および図１６に示すように、前記前本体部材５８の前壁８１における前記第２前側凹部８３に対応する部位には、前記第２スリット７５と同一長に延在する第３スリット７６が形成され、該第３スリット７６の長手方向に延在する両端縁は、移動部材１０５の往復移動可能に支持するガイドレールとして構成されている。
【００３３】
(演出部材)
前記演出部材５２は、図３、図８および図９等に示すように、照明基板(図示せず)が内蔵された発光装飾部材９０と、この発光装飾部材９０に取付けられて前記第１ガイド部５９に移動可能に配設されたスライド部材９１とを備えている。そして演出部材５２は、前記スライド部材９１と前記連係機構５４を介して連係された前記電動モータ５３の駆動により、前記設置壁部３１の右板部３１Ｃの前方に位置する第１位置(図２、図３、図６、図１３参照)と、該設置壁部３１の上板部３１Ａの前方に位置する第２位置(図４、図１４参照)との間を、前記第１ガイド部５９に沿って円弧状に往復移動するように構成されている。
【００３４】
(発光装飾体)
前記発光装飾部材９０は、図６〜図９等に示すように、前方へ膨出すると共に後方へ開口した装飾体９２の後側に、該装飾体９２の後側開口形状に合致する形状に形成された後カバー体９３を組付けることで中空体に形成される。発光装飾部材９０は、装置本体５１の湾曲方向の内側に近接する側部が、前記装置本体５１の湾曲内側の曲率と略同じ曲率の曲面に形成されており、前記第１位置および第２位置の間を往復移動する際に、装置本体５１との間隔が一定に保持されるよう構成されている。そして、前記発光装飾部材９０は、内部に配設された前記照明基板のＬＥＤの発光により明輝するようになっている。なお、前記装飾体９２は、前述したように、前記第１装飾部材４０および第２装飾部材４１の前面デザインと関連した形状、デザインとされている。
【００３５】
(スライド部材)
前記スライド部材９１は、図７〜図９、図１３および図１４に示すように、前記第１ガイド部５９の曲率と同じ曲率に形成された円弧状の板状部材であり、前記第１ガイド部５９内に収容される本体部９５と、この本体部９５の湾曲内側に形成されて前記第１スリット７２から装置本体５１の外側へ延出し、前記発光装飾部材９０が固定される取付部９６とを備えている。前記本体部９５には、その前面および後面に、前記第１ガイド部５９の曲率と同一の曲率の円弧上に配設した３個ずつのガイドローラ９７が回転自在に配設されている。このうち、本体部９５の後面に配設された３個の各ガイドローラ９７は、前記第１ガイド部５９を構成する第１後側凹部６２の各内周面を転動するようになっており、本体部９５の前面に配設された３個の各ガイドローラ９７は、前記第１ガイド部５９を構成する第１前側凹部８２の各内周面を転動するようになっている。従って、スライド部材９１は、前記各ガイドローラ９７が第１ガイド部５９に沿って転動することで、がたつくことなくスムーズにスライド移動が可能となっている。
【００３６】
前記スライド部材９１における前記本体部９５の湾曲外側縁には、該本体部９５の長手方向へ延在するラックギア９８が形成されている。このラックギア９８は、常に前記第２開口部７４に臨むようになり、前記第１開口部７３および第２開口部７４を介して第１ガイド部５９内へ臨む前記連係機構５４の従動ギア８８と常時噛合している。すなわち、図１３〜図１５に示すように、演出部材５２の前記第１位置において前記第２開口部７４に前記ラックギア９８が一方端側が臨むと共に、該演出部材５２の第２位置において該第２開口部７４に該ラックギア９８の他方端側が位置するように設定されている。従って、前記電動モータ５３の駆動より、ラックギア９８と噛合する前記従動ギア８８が回転することで、スライド部材９１が第１ガイド部５９に沿って往復移動することが可能である。
【００３７】
前記取付部９６には、図９に示すように、複数(実施例では４個)の取付リブ９９が設けられ、各取付リブ９９にはネジ挿通孔が設けられている。また発光装飾部材９０には、前記取付リブ９９のネジ挿通孔に整合する部位に、該ネジ挿通孔に挿通させたネジ(図示せず)が締結可能なネジ締結孔が設けられている。従って、スライド部材９１は、ネジを利用して発光装飾部材９０に取付固定され、図１３および図１４に示すように、該スライド部材９１の前記本体部９５が発光装飾部材９０の側外方へ延出した状態で保持される。
【００３８】
(電動モータ)
前記駆動手段としての電動モータ５３は、統括制御装置により駆動制御される正逆回転制御が可能なステッピングモータ等である。この電動モータ５３は、図８等に示すように、ギアボックスから前記駆動軸５３Ａを前向きとした姿勢で、前記モータベース部材６６に対して後側から取付けられ、前記駆動軸５３Ａが、前記モータベース部材６６に設けた前記開口を介して該モータベース部材６６の前側へ延出し、前記支持板部６５に臨むようになっている。前記駆動軸５３Ａの先端には、平歯車である駆動ギア８５が固定されている。そして、電動モータ５３を取付けたモータベース部材６６は、図８に示すように、前記第２ガイド部６０を挟んで前記演出部材５２の移動領域とは反対側に位置した前記支持板部６５に取付られている。すなわち電動モータ５３は、第２ガイド部６０よりも装置本体５１の湾曲外側に配設される。なお電動モータ５３の配設位置は、図５および図６に示すように、装置本体５１を設置壁部３１に取付けた状態において、該装置本体５１と設置部材３０の外周壁部３２との間隔が大きくなる上板部３１Ａと右板部３１Ｃの境界部位に位置するように設定されている。なお駆動手段としては、前記電動モータに限らず、流体を使用するアクチュエータや、ロータリーソレノイド等であってもよい。
【００３９】
(連係機構)
前記連係機構５４は、図１３〜図１５に示すように、前記後本体部材５７の前記支持板部６５および前本体部材５８の取付板部８９の間に支持された複数(実施例では２つ)の支軸に配設される３つのギア８６,８７,８８から構成されている。このうち、一方の支軸には、第１中間ギア８６および第２中間ギア８７が前後並列で回転自在に配設され、他方の支軸には、前記従動ギア８８が回転自在に配設されている。前記第１中間ギア８６と前記第２中間ギア８７とは、相対回転が不能に連結または一体に形成されており、該第１中間ギア８６は前記駆動ギア８５に噛合すると共に、該第２中間ギア８７は前記従動ギア８８に噛合している。従って連係機構５４は、前記電動モータ５３により駆動ギア８５が回転すると、前記第１中間ギア８６および第２中間ギア８７を介して前記従動ギア８８が回転し、該従動ギア８８に噛合したラックギア９８が設けられた前記スライド部材９１が第１ガイド部５９に沿って往復移動する。なお、前記従動ギア８８は、図１３〜図１５に示すと共に前述したように、第２ガイド部６０を横切って第１ガイド部５９に臨んでいる。
【００４０】
(移動補助機構)
実施例の第１可動演出装置５０では、図８〜図１４に示すように、第１位置側から第２位置側に向けて演出部材５２を付勢する移動補助機構５５を備えている。実施例の第１可動演出装置５０は、設置壁部３１に取り付けた装置本体５１に設けた円弧状の第１ガイド部５９が、設置壁部３１の右板部３１Ｃ前方の第１位置側では主に上下方向に延在し、該設置壁部３１の左板部３１Ｄ前方の第２位置側では主に左右方向に延在しており、第２位置側から第１位置側に近づくにつれて勾配が徐々に急になっている。従って、演出部材５２が第１位置に近づくほど、演出部材５２の重さが連係機構５４を介して電動モータ５３に加わるようになり、該電動モータ５３に加わる負荷が増加することになる。そこで、前記移動補助機構５５により、電動モータ５３に加わる前記演出部材５２の重さを相殺するようにすることで、電動モータ５３の負荷を軽減するよう構成されている。
【００４１】
実施例の移動補助機構５５は、前記演出部材５２の移動方向に沿って直列に配列され、該移動方向へ弾力的に伸縮変形可能な複数(実施例では２つ)の付勢部材としてのコイルバネ(第１コイルバネ１００、第２コイルバネ１０１)と、前記演出部材５２の移動方向に隣接する第１コイルバネ１００および第２コイルバネ１０１の間に配設され、該第１コイルバネ１００および第２コイルバネ１０１の端部に夫々連結される中間部材１０２とを備えている。そして移動補助機構５５は、前記電動モータ５３の駆動による前記演出部材５２の前記第１位置側への移動に従い、前記中間部材１０２の移動を伴って前記第１コイルバネ１００および第２コイルバネ１０１が変形することで、演出部材５２を前記第２位置側へ付勢するよう構成されている。
【００４２】
(第１コイルバネ)
配列の一方端、すなわち演出部材５２の第２位置側に配設された前記第１コイルバネ１００は、長さ方向において伸縮変形が可能な引張りタイプのコイルバネである。この第１コイルバネ１００は、弾性変形可能なコイル部における長手方向の一方端に第１端部(中間部材との連結側と反対側の端部)１００Ａを備えると共に、長手方向の他方端に第２端部(中間部材との連結側の端部)１００Ｂを備えている。そして第１コイルバネ１００は、前記第２端部１００Ｂが前記中間部材１０２と連結されると共に、該中間部材１０２との連結側である第２端部１００Ｂと反対側の第１端部１００Ａが、装置本体５１に設けた固定部としての固定フック(固定部)１０３に掛止して固定されている。固定フック１０３は、前記装置本体５１において、第２ガイド部６０における第２位置側の端部に設けられている。すなわち第１コイルバネ１００は、第１端部１００Ａを前記固定フック１０３に掛止すると共に第２端部１００Ｂを中間部材１０２に連結した状態で第２ガイド部６０内に収容されている。なお、前記第１コイルバネ１００は、湾曲した前記第２ガイド部６０の曲率に合わせて長手方向において撓むように変形が可能である。
【００４３】
(第２コイルバネ)
配列の他方端、すなわち演出部材５２の第１位置側に配設された前記第２コイルバネ１０１は、長さ方向において伸縮変形が可能な引張りタイプのコイルバネである。この第２コイルバネ１０１は、弾性変形可能なコイル部における長手方向の一方端に第１端部(中間部材との連結側の端部)１０１Ａを備えると共に、長手方向の他方端に第２端部(中間部材との連結側と反対側の端部)１０１Ｂを備えている。そして第２コイルバネ１０１は、前記第１端部１０１Ａが前記中間部材１０２と連結されると共に、該中間部材１０２との連結側である第１端部１０１Ａと反対側の第２端部１０１Ｂが、前記演出部材５２に連係されるように構成されている。なお実施例では、前記第２コイルバネ１０１の第２端部１０１Ｂには移動部材１０５が連結されており、該第２端部１０１Ｂは該移動部材１０５を介して演出部材５２に連係されるよう構成されている。
【００４４】
実施例の移動補助機構５５では、第１コイルバネ１００および第２コイルバネ１０１は、非伸長時の長さや直径は略同じであるが(図１４参照)、第１コイルバネ１００より第２コイルバネ１０１の方がばね定数が小さいコイルバネが採用されている。従って、演出部材５２が第１位置まで移動した伸長変形時には、図１３に示すように、第２コイルバネ１０１が第１コイルバネ１００より長さが長くなる。このようにばね定数が異なる第１コイルバネ１００および第２コイルバネ１０１を使用することで、中間部材１０２の第２ガイド部６０に沿った移動距離を設定することが可能である。すなわち、両コイルバネ１００,１０１がばね定数が同じ場合には、演出部材５２の第１位置においては、伸長変形した第１コイルバネ１００の第１端部１００Ａと第２コイルバネ１０１の第２端部１０１Ｂとの中間に中間部材１０２が移動して停止するようになる。しかし、実施例のように第２コイルバネ１０１のほうがばね定数が小さい場合には、演出部材５２の第１位置においては、図１２に示すように、第１コイルバネ１００より第２コイルバネ１０１の長さが長くなるから、第１コイルバネ１００の第１端部１００Ａと第２コイルバネ１０１の第２端部１０１Ｂとの中間より第１コイルバネ１００の第１端部１００Ａに近い側に中間部材１０２が移動して停止するようになる。但し、前記第１コイルバネ１００と第２コイルバネ１０１とは、長さ、直径およびバネ定数等が全く同じものを採用してもよいし、長さおよび直径等が異なるものを採用してもよい。
【００４５】
(中間部材)
前記中間部材１０２は、図１２〜図１５に示すように、前記第２ガイド部６０の曲率と同じ曲率に湾曲に成形した部材である。すなわち中間部材１０２は、長手方向において湾曲すると共に前後方向の厚みが小さく設定された本体部１０２Ａと、該本体部１０２Ａにおける長手方向の一端部に後方へ突出するよう形成された第１掛止部１０２Ｂと、該本体部１０２Ａにおける長手方向の他端部に後方へ突出するよう形成された第２掛止部１０２Ｃとを備えている。前記第１掛止部１０２Ｂには、前記第１コイルバネ１００の第２端部１００Ｂが掛止されると共に、前記第２掛止部１０２Ｃには、前記第２コイルバネ１０１の第１端部１０１Ａが掛止される。そして中間部材１０２は、図１３〜図１５に示すように、前記本体部１０２Ａが前記第２ガイド部６０内において前壁８１側に偏って位置して、前記連係機構５４の従動ギア８８の前側に位置するように第２ガイド部６０に配設されている。
【００４６】
なお、前記中間部材１０２は、前記第１位置と第２位置との間を移動する前記演出部材５２に連動して第１コイルバネ１００および第２コイルバネ１０１が第２ガイド部６０に沿って伸縮変形することに伴い、該第２ガイド部６０に沿って円弧状に往復移動するようになる。そして中間部材１０２は、図１５に示すように、前記演出部材５２の第１位置と第２位置との間を移動する際に、常に前記本体部１０２Ａが従動ギア８８の後側で移動するようにして該本体部１０２Ａの長さが設定されており、前記第１掛止部１０２Ｂおよび第２掛止部１０２Ｃが該従動ギア８８に接触しないよう考慮されている。すなわち中間部材１０２は、演出部材５２の第１位置では、図１５(ａ)に示すように、第１掛止部１０２Ｂが従動ギア８８に近接するよう移動して停止し、演出部材５２の第１位置では、図１５(ｂ)に示すように、第２掛止部１０２Ｃが該従動ギア８８に近接するよう移動して停止する。
【００４７】
(移動部材)
前記移動部材１０５は、図１２〜図１４に示すように、前記演出部材５２の移動に追従して前記第２ガイド部６０に沿って移動可能に配設されている。前記移動部材１０５は、第２ガイド部６０内に位置し、前記第２コイルバネ１０１が連結される連結部１０６と、前記連結部１０６に連設されて前記第１ガイド部５９内に位置し、前記演出部材５２が第２位置側から当接可能な当接部１０７とを備えている。前記連結部１０６には、図５、図１２および図１６に示すように、前記前本体部材５８に設けた前記第２スリット７５に係合する溝部１０６Ａ,１０６Ａが、第２スリット７５の延在方向に沿って平行に形成されている。従って移動部材１０５は、前記溝部１０６Ａ,１０６Ａが第２スリット７５に係合した状態で、第２ガイド部６０に沿って往復移動することが可能となっている。
【００４８】
前記移動部材１０５の当接部１０７は、前記連結部１０６との連設位置から第１ガイド部５９の延在方向に沿って第２位置側へ所要長に突出するよう形成されている。当接部１０７は、第１ガイド部５９の曲率と同じ曲率に湾曲して形成されており、該当接部１０７の突出端部１０７Ａに、前記演出部材５２におけるスライド部材９１の端部が分離可能に当接するようになっている。すなわち、移動部材１０５の当接部１０７に対して、演出部材５２が第２位置側から分離可能に当接するよう構成されている。
【００４９】
前述のように構成された移動補助機構５５は、図１３に示すように、前記演出部材５２が前記第１位置にある状態では、該演出部材５２が前記移動部材１０５の当接部１０７における突出端部１０７Ａに対して第２位置側から当接して、前記中間部材１０２の移動を伴って前記第１コイルバネ１００および第２コイルバネ１０１が各々伸長変形することで、演出部材５２が第２位置側へ付勢される。そして、伸長変形した第１コイルバネ１００および第２コイルバネ１０１により発生する付勢力は、第１位置に停止した演出部材５２の重さと同じく設定されるか、若しく演出部材５２の重さよりやや大きくまたはやや小さくなるように設定されている。そして、演出部材５２が第１位置から第２位置側へ移動するつれて、第１コイルバネ１００および第２コイルバネ１０１の伸長変形量が小さくなるから、両コイルバネ１００,１０１による付勢力は徐々に小さくなる。
【００５０】
また、実施例の移動補助機構５５は、前記電動モータ５３の駆動により、前記演出部材５２が前記第１位置から第２位置に移動する途中で、前記第１コイルバネ１００および第２コイルバネ１０１が元の長さに戻って非伸長状態となるよう構成されている。従って、前記第１コイルバネ１００および第２コイルバネ１０１が元の長さとなった後には、前記演出部材５２が移動部材１０５の当接部１０７から分離する。そして、前記演出部材５２が移動部材１０５から分離した位置から前記第２位置までの間では、第１コイルバネ１００および第２コイルバネ１０１による演出部材５２の付勢が解除されるようになっている。
【００５１】
実施例の第１可動演出装置５０では、前述したように、装置本体５１に設けた円弧状の第１ガイド部５９が第２位置側では主に左右方向に延在しており、第２位置に近づくにつれて演出部材５２の重さが連係機構５４を介して電動モータ５３に加わらなくなる。従って、演出部材５２が第２位置に近づいても第１コイルバネ１００および第２コイルバネ１０１により該演出部材５２が第２位置側へ付勢されると、両コイルバネ１００,１０１の付勢力が逆に電動モータ５３に加わるおそれがある。そこで、実施例の第１可動演出装置５０では、前述したように、第１ガイド部５９に沿って演出部材５２が第１位置から第２位置へ移動する途中で、該演出部材５２が移動部材１０５の当接部１０７から分離するようにすることで、演出部材５２が主に左右方向へ移動する領域においては、第１コイルバネ１００および第２コイルバネ１０１の付勢力が該演出部材５２に加わるのを解除し得る。
【００５２】
なお、演出部材５２と移動部材１０５とが当接または分離する位置(「接離位置Ｇ」という)は、図１７に示すように、前記移動補助機構５５の第１コイルバネ１００および第２コイルバネ１０１により演出部材５２を押上げる付勢力の方向に基づいて設定される。すなわち、演出部材５２に対する両コイルバネ１００,１０１の付勢力Ｓの方向は、該演出部材５２のスライド部材９１と前記移動部材１０５の突出端部１０７Ａとの当接位置を通る第１ガイド部５９の接線Ｌ１の方向となり、垂線Ｌ２に対する両コイルバネ１００,１０１の付勢力の角度(付勢角度θ)は、スライド部材９１と突出端部１０７Ａとの当接位置の移動に伴って変化する。ここで、付勢角度θ＞４５°となった場合には、演出部材５２を垂直に押上げる押上力Ｓ１よりも水平に押す力(第２位置側へ押す力)Ｓ２が大きくなるから、該演出部材５２を第２位置から第１位置へ移動させる際に、前記水平に押す力Ｓ２によって電動モータ５３にかかる負荷が大きくなる。また、付勢角度θ＜４５°の範囲では、演出部材５２の自重で下方へ押下げる力が作用するため、両コイルバネ１００,１０１の付勢に抗して該演出部材５２を第１位置へ移動させ易い。すなわち、前記付勢角度θ≦４５°の範囲内に前記接離位置Ｇを設定することで、演出部材５２の第１位置から第２位置への移動を補助しつつ、該演出部材５２の第２位置から第１位置への移動を容易にすることが可能である。このことに鑑みて、実施例においては、付勢角度θ＝４５°の状態では演出部材５２が第１ガイド部５９における主に左右方向へ移動する領域に位置するよう構成されているから、前記付勢角度θ≦３５°の範囲内(具体的には、付勢角度θ＝３３°)で前記接離位置Ｇを設定してある。
【００５３】
(その他の部材)
前記演出部材５２における第１位置側の端部には、該演出部材５２が第１位置へ到来した際に、装置本体５１に配設したセンサ１１０に検知される検知片１１１が設けられている。従って、演出部材５２が第１位置に到来して検知片１１１がセンサ１１０で検知されたら、電動モータ５３の駆動が停止される。
【００５４】
(第２可動演出装置)
前記第２可動演出装置１２０は、図５に示すように、横長で板状の装置本体１２１と、この装置本体１２１の前側中央に回転可能に配設された演出部材１２２とを備えている。前記装置本体１２１および演出部材１２２には、照明基板が内蔵されており、該照明基板に設けたＬＥＤが発光することで、装置本体１２１および演出部材１２２が明輝するよう構成されている。そして、前記装置本体１２１の前側には、図２に示すように、前記第１可動演出装置１２０に配設した前記装飾板７７,７７が位置するようになっており、前記装置本体１２１に内蔵して照明基板のＬＥＤが発光することで該装飾板７７,７７が後側から照射される。なお、前記第２可動演出装置１２０は、前記第１可動演出装置５０が前側に配設することを前提として、前記装置本体１２１が、表示開口３４側(下方)に向かうにつれて後方へ変位するよう傾斜状に設置されており、演出部材１２２と第１可動演出装置５０の装置本体１２１とが干渉することを回避するよう考慮されている。
【００５５】
(実施例の作用)
前述のように構成された実施例のパチンコ機Ｐでは、前記遊技盤Ｄの遊技領域１０へ打ち出された遊技球が前記始動入賞装置２０の第１始動入賞口２０Ａまたは第２始動入賞口２０Ｂに入賞して、該始動入賞装置２０に配設された球検知スイッチによる球検知信号を前記主制御装置が受けると、該主制御装置は、大当たり抽選を行なうと共に、前記統括制御装置に制御信号を出力して前記図柄表示装置Ｈの表示演出部Ｈ１において図柄変動演出を行なわせる。そして主制御装置は、前記大当たり抽選の結果として大当たりが発生すると、前記統括制御装置を介して図柄表示装置Ｈの表示演出部Ｈ１に所定の図柄組合わせで図柄を停止表示させ、前記特別入賞装置２１の開閉扉２１Ａを開放動作させて入賞口を開放させる。
【００５６】
また前記統括制御装置は、前記主制御装置からの制御信号に基づき、前記第１可動演出装置５０および第２可動演出装置１２０を、前記図柄表示装置Ｈの表示演出部Ｈ１での遊技内容に合わせて総合的に作動制御する。すなわち統括制御装置は、前記図柄表示装置Ｈの表示演出部Ｈ１での遊技内容に基づき、前記第１および第２の各可動演出装置５０,１２０の何れかを単独で作動させたり、各可動演出装置５０,１２０を同時または同期的に作動させる。また統括制御装置は、前記第１装飾部材４０や第２装飾部材４１等に配設した照明手段を点灯制御すると共に、電動式の各種遊技部品を作動制御する。
【００５７】
そして、前記第１可動演出装置５０では、前記電動モータ５３の非駆動状態においては、図２および図１３に示すように、前記連係機構５４を介して該電動モータ５３と連係している前記演出部材５２は、第１位置に保持されている。この状態では、前記移動補助機構５５の第１コイルバネ１００および第２コイルバネ１０１は夫々伸長した状態となっているため、演出部材５２の重さと、両コイルバネ１００,１０１により該演出部材５２を第２位置側へ向けた付勢力とは、同じか若しくは両コイルバネ１００,１０１の付勢力が僅かに大きくなっている。これにより、演出部材５２の重さが殆ど相殺されて、電動モータ５３には、該演出部材５２の重さによる負荷が殆ど加わっていない。そして、演出部材５２が第１位置に停止した状態では、図２に示すように、該演出部材５２は第１装飾部材４０の前側に重なった状態となっていて該第１装飾部材４０は前側から視認されず、前記第２可動演出装置１２０は前側から視認することができ、該第２可動演出装置１２０の演出状態を遊技者から見ることができる。
【００５８】
そして、前記統括制御装置により前記電動モータ５３を駆動制御すると、前記連係機構５４の従動ギア８８が回転することで、第１位置に停止していた演出部材５２が、第１ガイド部５９に沿って第２位置に向けて移動するようになる。この際に、前記演出部材５２は、移動補助機構５５における第１コイルバネ１００および第２コイルバネ１０１により第２位置側へ付勢されているため、第１位置から移動を開始した直後は上方へ移動するものの、電動モータ５３には演出部材５２の重さが殆ど加わらない。従って、電動モータ５３に対する負荷が小さいから、演出部材５２はスムーズに移動するようになる。
【００５９】
そして、前記演出部材５２が第１位置から第２位置に移動する途中で、移動補助機構５５の第１コイルバネ１００および第２コイルバネ１０１が中間部材１０２の移動に伴って元の非伸長状態まで縮むと、演出部材５２の移動に追従して第２ガイド部６０に沿って移動していた移動部材１０５が停止する。これにより、移動部材１０５の当接部１０７に当接していた演出部材５２のスライド部材９１が、該移動部材１０５の当接部１０７から分離して、該演出部材５２は、電動モータ５３の駆動力だけで第２位置に向けて移動するようになる。なお、演出部材５２と移動部材１０５とが分離した後は、演出部材５２は略左方向へ移動するようになって電動モータ５３には演出部材５２の重さが殆ど加わらないから、該演出部材５２は第２位置に向けてスムーズに移動する。
【００６０】
前記演出部材５２が第２位置に到達すると、電動モータ５３は停止制御されるか、または逆駆動制御される。電動モータ５３が停止制御された場合は、演出部材５２は第２位置に停止保持され、該電動モータ５３が逆駆動制御された場合には、該演出部材５２は第２位置から第１位置側へ移動するようになる。なお、図４および図１４に示す演出部材５２の第２位置においては、図移動補助機構５５の第１コイルバネ１００および第２コイルバネ１０１の付勢力が該演出部材５２に作用しないから、電動モータ５３が停止すると該演出部材５２は第２位置に停止保持される。
【００６１】
一方、演出部材５２が第２位置にある場合に前記電動モータ５３を逆駆動制御すると、該演出部材５２は前記移動部材１０５に当接していないから、電動モータ５３の駆動力により演出部材５２は第２位置から第１位置に向けて移動する。なお、演出部材５２は第２位置に近い状態では、該演出部材５２主に右方向へ移動するため、電動モータ５３に加わる負荷は該演出部材を上方向へ移動させる場合よりかなり小さいから、演出部材５２は第１位置に向けてスムーズに移動するようになる。そして、演出部材５２のスライド部材９１が移動部材１０５における当接部１０７の突出端部１０７Ａに当接すると、該演出部材５２の第１位置側への移動に伴って移動部材１０５が押されて移動し始め、移動補助機構５５における第１コイルバネ１００および第２コイルバネ１０１が、中間部材１０２の移動に伴って徐々に伸長変形するようになる。
【００６２】
前記演出部材５２が第１ガイド部５９に沿って第１位置に近づくにつれて移動方向が下向きに変化するが、移動補助機構５５の第１コイルバネ１００および第２コイルバネ１０１により演出部材５２を第２位置側へ付勢する付勢力も徐々に大きくなる。従って、演出部材５２が第１位置に近づいても、該演出部材５２の重さが第１コイルバネ１００および第２コイルバネ１０１の付勢力により殆ど相殺されるから、該演出部材５２は電動モータ５３の駆動力により第１位置までスムーズに移動するようになる。
【００６３】
前述のように構成された実施例のパチンコ機Ｐによれば、移動補助機構５５における直列に配列した第１コイルバネ１００および第２コイルバネ１０１が、該両コイルバネ１００,１０１の端部と連結された中間部材１０２の移動を伴って伸長変形することで、第１可動演出装置５０の演出部材５２が第１位置側に移動するにつれて第２位置側へ付勢されるので、電動モータ５３により演出部材５２を第１位置から第２位置へ移動させる際には、該電動モータ５３に加わる負荷を軽減して演出部材５２をスムーズに移動させることができる。特に、実施例の第１可動演出装置５０では、演出部材５２の第１位置に近い側において、第１ガイド部５９の移動方向が略垂直になるから該演出部材５２の重さが電動モータ５３に加わり易いが、移動補助機構５５の第１コイルバネ１００および第２コイルバネ１０１により演出部材５２を第２位置側へ付勢することで該演出部材５２の重さが相殺され、該電動モータ５３に対する負荷が好適に軽減される。
【００６４】
そして、前記移動補助機構５５は、演出部材５２の移動方向に沿って２つの第１コイルバネ１００および第２コイルバネ１０１が直列に配列されているので、演出部材５２の移動量に対して第１コイルバネ１００および第２コイルバネ１０１が各々変形するから個々のコイルバネ１００,１０１の変形量を小さく抑えることができ、該コイルバネ１００,１０１のへたりや塑性変形の発生を防止し得る。また、各第１コイルバネ１００および第２コイルバネ１０１の変形量に対して、演出部材５２の移動距離を大きく設定することが可能である。更に、移動補助機構５５を２本のコイルバネ１００,１０１から構成したので、該移動補助機構を１本のコイルバネで構成する場合に比べて両コイルバネ１００,１０１の長さが短くなり、演出部材５２の第１位置および第２位置の移動に伴う両コイルバネ１００,１０１の第２ガイド部６０に沿った円弧状の撓み変形量が小さくなる。従って、第２ガイド部６０における湾曲内側の壁面と第１コイルバネ１００および第２コイルバネ１０１との接触が回避されるかまたは軽微となるから、該壁面の摩損および両コイルバネ１００,１０１の摩損を防止し得ると共に、該壁面との接触によって両コイルバネ１００,１０１の伸縮変形が阻害されたり、これによる演出部材５２の作動不良が発生することを防止し得る。
【００６５】
また、実施例の第１可動演出装置５０では、移動補助機構５５に設けた移動部材１０５と演出部材５２とが分離可能となっているから、電動モータ５３の駆動により演出部材５２が第１位置から第２位置に移動する際に、該演出部材５２が移動部材１０５に当接している状態では第１コイルバネ１００および第２コイルバネ１０１により該演出部材５２が第２位置側へ付勢されるので、該電動モータ５３に加わる負荷を軽減できる。また、演出部材５２が、第１位置から第２位置へ移動する途中で移動部材１０５から分離した後には、第１コイルバネ１００および第２コイルバネ１０１による演出部材５２の付勢が解除されるから、該演出部材５２が不必要に付勢されることを回避することができる。特に、実施例の第１可動演出装置５０では、演出部材５２の第２位置側に近い側では第１ガイド部５９の傾きが小さくなって左右方向へ延在するため、該演出部材５２の重さが電動モータ５３に殆ど加わらなくなるから、第１コイルバネ１００および第２コイルバネ１０１の付勢が不必要であり、これらコイルバネ１００,１０１の付勢力により電動モータ５３に逆に負荷が掛かることを防止し得る。
【００６６】
そして、前記移動部材１０５には、前記演出部材５２のスライド部材９１と当接する当接部１０７が設けられているから、第１コイルバネ１００および第２コイルバネ１０１を、該移動部材１０５を介して演出部材５２へ適切に加わるようにすることができる。しかも、前記移動部材１０５の当接部１０７は、連結部１０６との連設位置から演出部材５２の移動方向(第１ガイド部５９の延在方向)に沿って第２位置側へ突出するよう形成されているから、該当接部１０７の第２位置側への突出長さを変更することで、演出部材５２が第１位置と第２位置との間を移動する際に、該演出部材５２と移動部材１０５とが当接するタイミングおよび分離するタイミングを調整することができる。
【００６７】
更に、前記第１可動演出装置５０は、前記連係機構５４の従動ギア８８が第２ガイド部６０を横切るように配設されていることで、前記電動モータ５３が第２ガイド部６０を挟んで前記演出部材５２の移動領域とは反対側に配設されているから、演出部材５２は電動モータ５３との干渉を回避して移動量を適切に確保することができる。そして、前記電動モータ５３は、演出部材５２との干渉が回避されるから、該電動モータ５３の配設位置の自由度が高められる。また、前記中間部材１０２の本体部１０２Ａを薄く形成して、前記連係機構５４の従動ギア８８を、該中間部材１０２と常に重なる位置に配設したので、該従動ギア８８が第１コイルバネ１００や第２コイルバネ１０１と干渉して、演出部材５２のスライド移動が阻害されることを防止し得る。
【００６８】
また、移動補助機構５５において、第１コイルバネ１００および第２コイルバネ１０１が、長手方向において撓むように変形することが可能であるから、第１ガイド部５９および第２ガイド部６０を円弧状に湾曲させて、演出部材５２を第１ガイド部５９に沿って第１位置と第２位置との間を円弧状に移動するよう構成することが可能である。
【００６９】
(変更例)
本発明に係る遊技機は、実施例に例示の形態に限らず種々の変更が可能である。
（１）移動補助機構５５における第２ガイド部６０に沿って直列に配列される付勢部材の配設数は、実施例のように２つに限定されるものではなく、演出部材５２の移動距離等に応じて３つ以上としてもよい。なお、付勢部材が３つの場合では、中間部材１０２の配設数は、直列に配列される各付勢部材の間に各々配設されるから２つとなる。
（２）移動補助機構５５における付勢部材は、実施例で例示した引張りタイプのコイルバネに限らず、圧縮タイプのコイルバネであってもよい。このような圧縮タイプのコイルバネからなる付勢部材を採用した場合には、第１ガイド部５９における第１位置側の端部に固定部としての掛止フックを設け、直列に配列した付勢部材における最も第１位置側の端に配設された付勢部材の中間部材との連結側と反対側の端部を該掛止フックに固定させると共に、配列の最も第２位置側の端に配設された付勢部材の中間部材との連結側と反対側の端部を演出部材に連係させるようにすればよい。これにより、電動モータの駆動により演出部材を第１位置側へ移動する際に、前記中間部材の移動を伴って前記各付勢部材が圧縮変形することで、演出部材が前記第２位置側へ付勢されるよう構成される。なお、圧縮タイプのコイルバネからなる付勢部材を採用した場合には、第２ガイド部に対する各付勢部材および中間部材の配設位置が第１位置側へずれるようになり、これに伴って、駆動手段としての電動モータ５３や連係機構５４の配設位置も適宜変更される。
（３）各付勢部材は、コイルバネに限らず、ゴム等の弾性体であってもよい。
（４）実施例では、第１ガイド部５９が円弧状に形成されて演出部材が円弧状に往復移動し、これに伴って第２ガイド部６０の円弧状をなす形態を例示したが、該演出部材は直線状に往復移動するものや、スプライン状に往復移動するものであってもよい。
（５）配列の他端側に配設された付勢部材の中間部材との連結側と反対側の端部は、演出部材と直接に連結するようにしてもよい。この場合には、演出部材が第１位置と第２位置との間にを移動する際に、常に該演出部材と付勢部材とが連結された状態に保持され、付勢部材の付勢力を常に演出部材に付与させることが可能である。
（６）連係機構５４は、複数のギアから構成されたものに限らず、タイミングベルトおよびプーリからなるベルト駆動形態や、チェンおよびスプロケットからなるチェン駆動形態等であってもよい。
（７）駆動手段は、電動モータに限らず、ロータリーソレノイド、リニアソレノイド、エアシリンダ等であってもよい。
（８）実施例では、遊技機としてのパチンコ機を示したが、遊技機はパチンコ機に限られるものではなく、アレンジボール機等であってもよい。
【符号の説明】
【００７０】
５２ 演出部材，５３ 電動モータ(駆動手段)，５４ 連係機構(連係手段)
５９ 第１ガイド部，６０ 第２ガイド部，１００ 第１コイルバネ(付勢部材)
１０１ 第２コイルバネ(付勢部材)，１０２ 中間部材，１０３ 固定フック(固定部)
１０５ 移動部材，１０６ 連結部，１０７ 当接部，１０７Ａ 突出端部
【図１】
0005812412.tif 000002
【図２】
0005812412.tif 000003
【図３】
0005812412.tif 000004
【図４】
0005812412.tif 000005
【図５】
0005812412.tif 000006
【図６】
0005812412.tif 000007
【図７】
0005812412.tif 000008
【図８】
0005812412.tif 000009
【図９】
0005812412.tif 000010
【図１０】
0005812412.tif 000011
【図１１】
0005812412.tif 000012
【図１２】
0005812412.tif 000013
【図１３】
0005812412.tif 000014
【図１４】
0005812412.tif 000015
【図１５】
0005812412.tif 000016
【図１６】
0005812412.tif 000017
【図１７】
0005812412.tif 000018